(57)【要約】  【課題】  ブラインドに無理な力を与えることなく、簡単にブラインドの下部を固定面に固定することができるブラインドの下部固定構造を提供する。  【解決手段】  ロールスクリーンのスクリーンの下部に設けられる下部支持部材に受部が設けられ、窓枠等の固定面に保持部２０が固定される。保持部２０は固定面に固定されるベース２２と、ベース２２に対して相対移動可能に設けられると共に係合可能な可動部材２４とから構成され、可動部材２４とベース２２とが係合されていない状態で、ベース２２の係止部２２ｄに受部が係止可能となっており、可動部材２４とベース２０とが係合された状態で、該受部が保持部２０に係止解除不能に拘束される。【選択図】  図３
2006219897.tif 000002
【特許請求の範囲】
【請求項１】
ブラインドの遮蔽材の下部に設けられる下部支持部材に受部（１６ａ）が設けられ、窓枠等の固定面に保持部（２０）が固定され、保持部（２０）は固定面に固定されるベース（２２）と、ベース（２２）に対して相対移動可能に設けられると共に係合可能な可動部材（２４）とから構成され、可動部材（２４）とベース（２２）とが係合されていない状態で、前記受部（１６ａ）が保持部（２０）に係止可能となっており、可動部材（２４）とベース（２０）とが係合された状態で、該受部（１６ａ）が保持部（２０）に係止解除不能に拘束されることを特徴とするブラインドの下部固定構造。
【請求項２】
可動部材（２４）の上面または側面を押圧することによって可動部材（２４）とベース（２２）との係合が解除され、ベース（２２）に対して相対移動可能となることを特徴とする請求項１記載のブラインドの下部固定構造。
【発明の詳細な説明】
【技術分野】
【０００１】
本発明は、ブラインドの下部を窓枠等の固定面に対して固定するためのブラインドの下部固定構造に関する。
【背景技術】
【０００２】
従来、この種のブラインドの下部固定構造としては、特許文献１に記載されたものが知られている。これによれば、ボトムレール両端に長手方向に突出する係止突起が設けられ、上方に突出し且つ係止突起を同突起の周方向に弾性的に挟持する一対の挟持片を備えた保持具を窓枠に固定している。そして、係止突起を一対の挟持片間にあてがって下方に押せば、ボトムレールが保持具に保持され、その状態からボトムレールを上方に引き上げればボトムレールの保持を解除することができるようになっている。
【０００３】
【特許文献１】実公平６−４９８３３号公報
【発明の開示】
【発明が解決しようとする課題】
【０００４】
しかしながら、上記特許文献１の保持具では、ボトムレールの両端から突出する係止突起をそれぞれ挟持片に押し込む必要があるため、一人で操作した場合には、製品幅が大きいと片方ずつしか係止突起を挟持片に挟持していくことができない。そのために、一方のみ保持した状態では、ブラインドの下端が片持ちになって遮蔽材が傾きシワなどが発生するという問題がある。特に、ロールスクリーンのように、ストッパをかけていない状態で、遮蔽材が上昇する方向に付勢されているブラインドの場合には、傾きが大きくなり、ブラインドに無理な力が作用し、好ましくない。
【０００５】
本発明はかかる課題に鑑みなされたもので、ブラインドに無理な力を与えることなく、簡単にブラインドの下部を固定面に固定することができるブラインドの下部固定構造を提供することをその目的とする。
【課題を解決するための手段】
【０００６】
前述した目的を達成するために、請求項１記載の発明によるブラインドの下部固定構造は、ブラインドの遮蔽材の下部に設けられる下部支持部材に受部が設けられ、窓枠等の固定面に保持部が固定され、保持部は固定面に固定されるベースと、ベースに対して相対移動可能に設けられると共に係合可能な可動部材とから構成され、可動部材とベースとが係合されていない状態で、前記受部が保持部に係止可能となっており、可動部材とベースとが係合された状態で、該受部が保持部に係止解除不能に拘束されることを特徴とする。
【０００７】
請求項２記載の発明は、請求項１記載のものにおいて、可動部材の上面または側面を押圧することによって可動部材とベースとの係合が解除され、ベースに対して相対移動可能となることを特徴とする。
【発明の効果】
【０００８】
本発明によれば、可動部材とベースとを係合していない状態で、保持部の可動部材またはベースにブラインドの受部を係止させることにより、仮止めが可能になる。ブラインドを固定する際またはブラインドの固定を解除する際に、一旦、受部を保持部に仮止めさせることによって、ブラインドが不用意に上昇することを防ぎ、またはブラインドの傾きを防ぐことができる。仮止め状態から、可動部材を移動させてベースに対して係合することにより、受部が保持部に係止解除不能に拘束され、ブラインドの下部を固定面に確実に固定することができる。
【０００９】
請求項２記載の発明によれば、可動部材の上面または側面を押圧することで可動部材とベースとの係合を解除することができるので、片手で解除することができる。主として、受部からの荷重は保持部の係止力によって受けることができ、ベースと可動部材との係合力で受部を拘束する必要はないために、ベースと可動部材との間の係合力を強力にする必要はなく、従って、簡単に可動部材のベースとの係合及び係合解除をすることができる。
【発明を実施するための最良の形態】
【００１０】
以下、図面を用いて本発明の実施の形態を説明する。
【００１１】
図１は本発明の実施形態にかかるブラインドの下部固定構造を適用したブラインドを表す全体正面図である。
【００１２】
ブラインドとしては、横型ブラインド、プリーツスクリーン、ローマンシェードといった任意のブラインドとすることができるが、この例では、ロールスクリーンに適用した場合を表している。
【００１３】
ロールスクリーン１０には、遮蔽材としてのスクリーン１２の上部が巻取パイプ１４に巻取り・巻解き可能に取り付けられており、スクリーン１２の下部には、下部支持部材としてのウエイトバー１６が設けられている。
【００１４】
ウエイトバー１６には、その両端に、受部であるキャッチャー１６ａが取り付けられており、キャッチャー１６ａは、閉断面空間を構成するリング部１６ｂを備えている。
【００１５】
窓枠等の固定面１８には、前記各キャッチャー１６ａに対応して保持部２０が固定される。各保持部２０は、図３ないし図６に示したように、ベース２２と可動部材２４との２部品で構成される。
【００１６】
ベース２２は、固定面１８に対して移動不能に止めねじ等によって固定される一方で可動部材２４は、ベース２２に対してスライド可能に且つベース２２に対して離脱しないように取り付けられている。
【００１７】
より詳細には、ベース２２の底部２２ａには、切り抜きにより弾性片部２２ｂが形成されており、弾性片部２２ｂの先端には、上方に突出するストッパ部２２ｃが形成されている。また、ベース２２には、その上部に係止部２２ｄが形成されており、この係止部２２ｄは、キャッチャー１６ａのリング部１６ｂを貫通可能で、リング部１６ｂが係止部２２ｄに係止可能となっている。
【００１８】
一方の可動部材２４には、底部２２ａの側部と上部を覆うスライド部２４ａが形成され、スライド部２４ａには開口２４ｂが形成されている。また、可動部材２４には、スライド部２４ａの途中から上方に立設された係合面２４ｃが形成されている。
【００１９】
さらに、可動部材２４の上面または側面に、切り抜きにより弾性変位可能となった押しボタン部２４ｄが形成されており、押しボタン部２４ｄと押しボタン部２４ｄに隣接した部分との間には、隙間２４ｅが形成されている。
【００２０】
ベース２２のストッパ部２２ｃは、可動部材２４の隙間２４ｅと開口２４ｂの両方に係止可能であり、その両者の間の範囲で、可動部材２４のスライド部２４ａがベース２２の底部２２ａに対しスライド可能となっている。ベース２２のストッパ部２２ｃが可動部材２４の開口２４ｂに係止されているときには、スライド部２４ａの係合面２４ｃとベース２２の係止部２２ｄとは離反しており、両者の間に上方に開いた空間が形成されている(図３（ｂ）、図４（ｂ）、図５（ｂ）)一方で、ストッパ部２２ｃが可動部材２４の隙間２４ｅに係止されているときには、可動部材２４とベース２２とは係合しており、スライド部２４ａの係合面２４ｃにベース２２の係止部２２ｄの先端が当接して、係止部２２ｄの下方に閉断面空間が形成される(図３（ａ）、図４（ａ）、図５（ａ）)。
【００２１】
以上のように構成されるブラインドの下部固定構造において、ロールスクリーン１０のスクリーン１２の下部を窓枠等の固定面１８に固定する場合には、まず、保持部２０の可動部材２４をスライドさせて、係合面２４ｃと係止部２２ｄが離反された状態にしておく。
【００２２】
この状態で、キャッチャー１６ａのリング部１６ｂを係止部２２ｄに引っ掛けて係止させる。この係止動作には、特に大きな力または難しい操作を要しないために、両側にあるキャッチャー１６ａを両側にある保持部２０の係止部２２ｄにほぼ同時に引っ掛けることができる。こうして、ロールスクリーン１０を傾けることなく、保持部２０に仮止めすることができる。
【００２３】
次いで、可動部材２４をベース２２に接近させるべくスライドさせると、ストッパ部２２ｃが開口２４ｂに係止され、可動部材２４とベース２２とが係合する。可動部材２４の係合面２４ｃと係止部２２ｄとが当接して、両者で閉じた空間を形成するために、キャッチャー１６ａのリング部１６ｂが係止部２２ｄから脱離不能となり、保持部２０に拘束される。このとき、巻取パイプ１４に内蔵されるストッパーを作動させることなく、ロールスクリーン１０のスクリーン１２の下部を保持部２０に拘束することができ、巻取パイプ１４に内蔵されるスプリングによる付勢力によって、スクリーン１２は巻取パイプ１４に巻取られる方向に引っ張られているため、スクリーン１２にテンションをかけた状態で保持することができる。
【００２４】
こうして、ロールスクリーン１０を、そのスクリーン１２を下ろした状態で、その下端を窓枠等の固定面１８に固定することができる。例えば、ロールスクリーン１０のようなブラインドを収納部等の目隠しまたは間仕切りとして、スクリーン１２を常時下ろして使用する場合に、スクリーン１２が不用意に上昇したり、またはスクリーン１２が空調機の風等で煽られたりすることなく、ロールスクリーン１０を固定することができる。
【００２５】
逆に、ロールスクリーン１０のスクリーン１２を上昇させたいときには、押しボタン部２４ｄを下方に押圧して、押しボタン部２４ｄの下端部で前記ベース２２の弾性片部２２ｂを下方に押し下げて、ストッパ部２２ｃの開口２４ｂからの係止を解除して、可動部材２４をベース２２から引出す。このときに、キャッチャー１６ａは係止部２２ｄに引っ掛かった状態を維持しているので、スクリーン１２が巻取パイプ１４に内蔵されるスプリングによる付勢力によって急に上昇することを防ぐことができる。すべての保持部２０の可動部材２４をベース２２から離反させた後、手でウエイトバー１６を持って、各キャッチャー１６ａを係止部２２ｄから外して、静かに手を放せば、スプリングによる付勢力によって、スクリーン１２は自動的に巻取パイプ１４に巻き取られて、上昇する。
【００２６】
このように、ベース２２の係止部２２ｄによりキャッチャー１６ａを仮止めすることができるために、ロールスクリーン１０の下部を固定する際も、または固定を解除する際にも、ロールスクリーン１０に無理な力が作用することなく、簡単に行うことができる。
【００２７】
可動部材２４とベース２２との間でキャッチャー１６ａに直接の挟持力などは付与しておらず、キャッチャー１６ａからのブラインドの荷重は係止部２２ｄで受けているために、可動部材２４とベース２２との間の係合力は強力にする必要はない。従って、簡単に可動部材２４のベース２２との係合及び係合解除をすることができ、可動部材２４の押しボタン部２４ｄを押圧するだけで、手動で簡単に切り換えることができる。
【００２８】
尚、この実施形態では、仮止めを行う係止部２２ｄがベース２２に形成されていたが、これに限るものではなく、可動部材２４側に形成することも可能である。
【図面の簡単な説明】
【００２９】
【図１】本発明の実施形態にかかるブラインドの下部固定構造を適用したブラインドを表す全体正面図である。
【図２】図１の下部を側方から見た図である。
【図３】保持部の斜視図であり、（ａ）可動部材とベースが係合した状態、（ｂ）可動部材がベースから離反した状態を表す。
【図４】保持部の側面図であり、（ａ）可動部材とベースが係合した状態、（ｂ）可動部材がベースから離反した状態を表す。
【図５】保持部の断面図であり、（ａ）可動部材とベースが係合した状態、（ｂ）可動部材がベースから離反した状態を表す。
【図６】保持部の可動部材とベースの分解斜視図である。
【符号の説明】
【００３０】
１０  ロールスクリーン（ブラインド）
１２  スクリーン（遮蔽材）
１６  ウエイトバー（下部支持部材）
１６ａ  キャッチャー（受部）
１８  固定面
２０  保持部
２２  ベース
２４  可動部材
【図１】
2006219897.tif 000003
【図２】
2006219897.tif 000004
【図３】
2006219897.tif 000005
【図４】
2006219897.tif 000006
【図５】
2006219897.tif 000007
【図６】
2006219897.tif 000008